(57)【要約】本発明は、少なくとも２つの足台（１４，１５）が設けられている第１のフレーム部（２）と第２のフレーム部（３）とを有し、少なくとも３つの車輪（１７，１８，１９）が設けられ車両に関する。【課題】【解決手段】この第２のフレーム部は、これが、長手方向に延びている回転軸（５）を中心として傾動可能なように、第１のフレーム部に接続されている。また、第２のフレーム部は、制御部材（７）と運転席（６）とを有している。傾動部材（８）が、制御シグナルに基づいて、第２のフレーム部に傾動力を与えるために、第１のフレーム部（２）と第２のフレーム部とに接続されている。センサー（９）が、ライダーによって前記第１のフレーム部に与えられた力、若しくはモーメントを測定するために、並びに/若しくは、足台に対するライダーの位置を決定するために、前記第１のフレーム部に接続されており、また、このセンサーは、他方で、前記傾動部材に接続されて、前記制御シグナルを前記傾動部材に送る。
2005534553.tif 000002
【特許請求の範囲】
【請求項１】
少なくとも２つのフットレスト位置（１４，１５）が設けられている第１のフレーム部（２）と第２のフレーム部（３）とを具備し、この第２のフレーム部は、長手方向に延びている回転軸（５）を中心として傾動可能なように、前記第１のフレーム部に接続されており、また、この第２のフレーム部（３）は、制御部材（７）と運転席（６）とを有し、少なくとも３つの車輪（１７，１８，１９）が設けられた車両（１）において、傾動部材（８）が、制御シグナルに基づいて、前記第２のフレーム部（３）に傾動力、並びに/若しくは力のモーメントを与えるために、前記第１のフレーム部（２）と第２のフレーム部（３）とに接続されており、センサー（９）が、ライダーによって前記第１のフレーム部（２）に与えられた力、若しくはモーメントを測定するために、並びに/若しくは、足台に対するライダーの位置を決定するために、前記第１のフレーム部（２）に接続されており、また、このセンサー（９）は、他方で、前記傾動部材（８）に接続されて、前記制御シグナルを前記傾動部材に送ることを特徴とする車両（１）。
【請求項２】
前記第２のフレーム部（３）は、２つのフットレスト位置（１２，１３）を有していることを特徴とする請求項１の車両（１）。
【請求項３】
前記傾動部材（８）は、外部の環境によって、前記第２のフレーム部（３）に与えられる力の方向とは反対の方向の力を、前記第２のフレーム部（３）に与えている請求項１又は２の車両。
【請求項４】
前記傾動部材（８）は、車両の第１の側部へと向けられる力を、前記第２のフレーム部（３）に与え、この第１の側部は、車両の側部とは反対に位置されており、押圧力がライダーによって与えられる前記第１のフレーム部（２）のフットレスト位置（１４，１５）は、車両の前記側部に位置されている請求項３の車両。
【請求項５】
前記傾動部材（８）は、前記力の方向とは反対方向に、ほとんど力を与えない請求項３又は４の車両。
【請求項６】
前記第１のフレーム部（２）には、少なくとも２つの車輪（１８，１９）が設けられている前記全ての請求項のいずれか１の車両。
【請求項７】
前記第１のフレーム部の一部、好ましくは、第１のフレーム部（２）の前記フットレスト位置（１４，１５）は、路面からの車両の車輪の実質的に一定の距離のところに位置されている、前記全ての請求項のいずれか１の車両。
【請求項８】
前記フットレスト位置（１４，１５）は、各々が比較的細い隆起したエッジ（１６，１７）が設けられた足台を有しており、これらエッジに対して、ライダーは、横方向に自身の足を置き得ることを特徴とする、前記全ての請求項のいずれか１の車両（１）。
【請求項９】
前記傾動部材（８）は、ライダーによってもたらされる傾動方向とは、反対の方向の傾動力を発生させる前記全ての請求項のいずれか１の車両（１）。
【請求項１０】
前記制御シグナルは、所定の傾動位置が、前記第２のフレーム部（３）によって達せられた時に、前記傾動部材（８）をブロックする前記全ての請求項のいずれか１の車両（１）。
【請求項１１】
前記第２のフレーム部（３）の傾動位置から直立位置への傾動は、前記傾動部材（８）からの抵抗が起こり得ないでなされる前記全ての請求項のいずれか１の車両（１）。
【請求項１２】
ブロック機構が、静止した車両の直立位置又は傾動位置で、前記第２のフレーム部をロックするために設けられており、この場合の走行ブロック機構で、車両は、前記ブロック機構が前記第２のフレーム部をブロックしているのであれば、走行されることができない、前記全ての請求項のいずれか１の車両（１）。
【請求項１３】
前記走行ブロック機構は、ブレーキを有している請求項１２の車両。
【発明の詳細な説明】
【技術分野】
【０００１】
この出願は、２つのフットレスト位置が設けられている第１のフレーム部と、この第１のフレーム部が、長手方向に延びている傾動軸を中心として傾き得る形態で、第１のフレーム部に接続されている第２のフレーム部とを備え、かつ、この第２のフレーム部は、ステアリング部材と運転席とを有している、少なくとも３つの車輪が設けられた車両に関する。
【背景技術】
【０００２】
このような傾動車両は、米国特許４０８８１９９号と米国特許４３２５５６５号とにより知られている。これら刊行物は、３輪の傾動車両を開示しており、ライダーは、曲がった道を通り抜ける時に、両足で足台に力を与えることによって、運転席と前輪に対するステアリングとを傾動させることができる。ゆっくりと走行する時に、又は横風のような外部の影響がある時に、ライダーは両足で傾動を制御し、そして、地面に両足を休めているかのように、足置き上の足で、運転席を安定させることができる。
【発明の開示】
【発明が解決しようとする課題】
【０００３】
この既知の傾動車両は、ある場合において欠点を有しており、例えば、勾配の急な曲がり道を通り抜ける時に、ライダーは、制御下で車両を維持するために、両足で十分な力を与えることができない。さらに、ライダーが、曲がった道に沿って走行している時に、又は、一定の横風のような、長引く障害が生じている時、この欠点によって、ライダーは疲労してしまう。
【０００４】
従って、本発明の目的は、安定性、安全性、及び快適性のある乗車が得られるような、上述されたタイプの傾動車両を提供することである。
【０００５】
さらに、本発明の目的は、曲がった車道部で能力を発揮する傾動力が与えられ、ライダーの疲労の症状が最小にされるような傾動車両を提供することである。
【課題を解決するための手段】
【０００６】
この目的のために、本発明に係わる傾動車両は、傾動部材が、制御シグナルに基づいて、第２のフレーム部に傾動力を与えるように、第１のフレーム部と第２のフレーム部とに接続されており、センサーが、ライダーによって第１のフレーム部に与えられた力、又はモーメントを測定するために、若しくは、足台に対するライダーの位置を決定するために、第１のフレーム部に接続されており、また、このセンサーは、一方で、前記傾動部材に接続されて、傾動部材に制御シグナルを送ることを特徴としている。
【０００７】
例えば、液圧シリンダのような前記傾動部材により、ライダーによって傾動部と非傾動部との間に与えられる力は、傾動が、小さな動作力で生じ得るように大きくされる。これは、大きな傾動は、ライダーが、車両のより良い制御を得るように、勾配の急な曲がり道で達せられ得ることを意味している。さらに、一定の横風がある時、又は側方に勾配のある路面を運転するような他の障害が発生した時の運転によって、ライダーに、疲労の症状が生じることはないであろう。
【０００８】
傾動しない前記第１のフレーム部と比べて、前記フットレスト位置は、足台としての役割を果たすように、十分に大きな面を有した一定の足置きを有している。また、第１のフレーム部近くの単一な足置き、又は第１のフレーム部近くのＵ字型の支持ブランケットは、第１のフレーム部に動作しないように接続されることができる。第１のフレーム部上のフットレスト位置は、比較的大きな面であるため、ライダーは、必要並びに/若しくは所望であれば、自身の足を素早く安定した位置に動作させることができ、ライダーは、支持するための両足を路面に位置させているかのように感じる。この明細書で使用されているような「第１のフレーム部」という用語は、（複数の）車輪と、ロッドと、パイプと、これらがユニットとして機能するように、機械、液圧、並びに/若しくは電磁気の手段によって接続されている足置きとの組立体を意味している。この明細書での「長手方向」という用語は、車両の前側と後側とのそれぞれの点によって規定された方向を意味している。この長手方向に通っている回転軸は、水平方向で、例えば４５°の角度を形成する回転軸のように、垂直な構成材を有している。
【０００９】
さらに、ライダーにとって、傾動のためにかなりの力を与える必要なく、本発明に係わるオートバイのような車両を運転している間に、自身の足が、常に、力を与える必要なく、傾動に従って曲げられなくてはならないことは不便である。このことは、通常の走行中に不快を感じさせることがある。この問題を解決するために、本発明に係わる傾動車両の一実施の形態では、第２のフレーム部が、２つのフットレスト位置を有することを特徴としている。これは、ライダーが、様々な場所で、足を下ろすことを可能にし、また、ライダーは、安心して走行している時に、傾動部の２つの側部に自身の足を位置させることができる。このため、ライダーの全身は、傾動に従って動作する。ライダーが特別な動作をやめる時、又は実行する時のみ、ライダーは自身の足を、（複数の）足台のようなフットレスト位置に再び置く。このことは、足が前方のフットレストに位置されている時の足の位置が、通常の自転車、エンジン付き自転車（moped）、又はオートバイの足の位置と非常に類似することを補償している。一方、足が（複数の）足台に位置されている間、足が路面上に置かれているかのような安定した位置が得られる。
【００１０】
非傾動部の１対の第1のフットレストと、傾動部の1対の第２のフットレストとを有した傾動車両は、これ自身は、ＪＰ−Ａ５９２２７５７６で知られている。しかし、この既知の車両には、追加的な動力補助が存在していないという欠点を有しているため、傾動は、取着されたフレーム部に固定されたフットレストにより、ライダーによって果たされなければならない。この場合、これらのフットレストは、足置きの形状でないため、ライダーは、足置きから容易に滑り落ちることがあり、このことは、不安定な状態を引き起こす傾向がある。さらに、ライダーは、狭く固定されたフットレストというよりはむしろ、地面に足を位置させるために、傾動するフレーム部に接続されたフットレストから自身の足が外れるようになっているであろう。
【００１１】
本発明に係わる車両の一実施の形態において、傾動部材は、第２のフレーム部に、外部の影響によってこの第２のフレーム部に与えられた力の方向に対向する力を与える。能動の変形例と受動の変形例とが、この明細書で区別されることができる。
【００１２】
能動の変形例において、傾動部材は、センサーによって発生された制御シグナルの制御下で、外部の要因によって車両に与えられた傾動力とは反対方向に向けられ、また外部の要因によって与えられた力よりも小さな力を、第２のフレーム部に与える。これらの「外部の力」とは、曲がりによって起こされた遠心力、傾動する第２のフレーム部上に与えられる重力の力、横風、横移動の間の衝撃変化、並びに/若しくはライダー又は次のライダーの動作であり得る。受動における実施の形態の傾動部材は、外部の力以下の対向力を与えるために、第２のフレーム部には、ブレーキがかかり、減速され、外部の傾動力に対する傾動は生じない。この結果、エネルギー/パワーは、傾動装置によって、傾動部から分散される。この受動システムは、非常に簡素なデザインで、強固で、比較的安価である。
【００１３】
能動の変形例において、傾動部材の力は、能動の傾動が、傾動部材に与えられる制御シグナルによって達せられるように、外部の要因によって発生された傾動力より大きい。
【００１４】
さらなる実施の形態において、傾動部材は、車両の第１の側部へと向けられる力を、前記第２のフレーム部に与え、この第１の側部は、車両の側部とは反対に位置されており、押圧力がライダーによって与えられる前記第１のフレーム部のフットレスト位置は、車両の前記側部に位置されている。
【００１５】
ライダーが、右方向への曲がりを通り抜けている間に、例えば、左のフットレスト位置に力を与えると、傾動部材は、第２のフレーム部の右方向に向けて力を与えるであろう。非対称的に機能する一実施の形態の変形例において、傾動部材は、前記力の方向とは反対方向に、この場合、左方向へとほとんど力を与えない。この結果、左方向に第２のフレーム部を動作させることが、妨げられないように進められることができる。
【００１６】
傾動車両の場合、２つ以上の車輪を有することのできる第１のフレーム部の車輪、一実施の形態のさらなる変形例において、車輪自身が傾動することのできた面は、路面に対して比較的一定の位置に維持される。このように、ライダーは、第１のフレームに対する、従って車道に対する、傾動する第２のフレーム部の位置が分かる。第１のフレーム部は、路面に対するほぼ一定の位置、例えば、第１のフレーム部のフットレスト位置の一部を有している。これらのフットレスト位置は、路面からの車両の車輪の実質的に一定の距離のところに位置されることができる。この距離は、サスペンション及びショックアブソーバによって、そして、あるセンサー、特に、ばね力に基づく機械的なセンサーが、車輪を機能させ得るために、わずかな動作を必要とすることによって、わずかに変化し得る。
【００１７】
この場合に使用されているように、前記傾動部材は、液圧、気圧、電磁気、又は他の安定したドライブを有している。センサーは、電気、機械、液圧、又は空圧のタイプであり得るか、これらの組合せであり得る。
【００１８】
本発明に係わる車両のさらなる実施の形態において、各足置きには、比較的細い隆起したエッジが設けられており、これらエッジに対して、ライダーは、横方向に自身の足を置くことができる。このエッジによって、ライダーは、足を滑らせることなく、いずれの傾斜角でも、足置きに対して強く押すことができる。これによって、傾斜位置と傾斜位置と共にある傾斜しない部分の位置との良い感覚を維持することができる。このエッジは、角が丸められているため、ライダーの足底は、狭いエッジに従って容易に横揺れすることができ、足首が曲がる必要は無い。本発明に係わる２つの車両部間の動力補助が、連続的に機能する必要は無いが、しかし、本発明に係わる動力補助は、必要とされた時のみ動作することができる。一実施の形態において、傾斜部材は、ライダーによってもたらされた傾斜の方向とは反対の方向に向けられる傾斜力を、２つの部分間に与える。これは、作り付けの安全機能を形成する。この安全機能は、傾方向のステアリングの動作が生じている時、又は、車両が固定されている時、例えば、ライダーが乗車していない時に、傾斜部が解除された時、傾斜部は、例えば、車両が路面に転倒するような不慮の大きな傾動動作を受けない。一実施の形態において、制御シグナルは、所定の傾動位置が達せられた時に、傾動部材をブロックする。このような場合、ライダーが、自身の力で、傾斜部を再び直立に位置させるために、自由な車輪が存在しなければならない。
【００１９】
一実施の形態の一変形例における、第1のフレーム部上のフットレスト位置又は足置きは、センサーによって傾斜部材に供給されるシグナルを与えるために、足で動作されることができる。右方向への曲がりを通り抜ける時に、左側のペダルを押し下げると、傾斜部材によって右方向に力が与えられる。そしてこの反対に、左方向への曲がりを通り抜ける時に、右側のペダルを押し下げると、傾動部材によって左方向に力が与えられる。この目的のために、フットレスト位置は、動力補助部と非動力補助部とを有することができる。第1のフレーム部のフットレスト位置は、好ましくは、第２のフレーム部のフットレスト位置より、車両の軸から更に離れて位置している。ライダーが第２のフレーム部のフットレスト位置の「狭い位置」から、第1のフレーム部のフットレスト位置の「広い位置」に、自身の足を動作させると、足の安定性と広がりのある位置が、自動的に確保される。
【００２０】
傾斜車両のさらなる一実施の形態は、ブロック機構と走行ブロック機構とを有する。このブロック機構は、フレーム部を傾動位置に、又は傾動位置に第２のフレーム部をロックするための直立位置、即ち静止した車両の場合の直立位置にロックするためのものである。車両は、前記ブロック機構が、直立位置より他の位置で、第２のフレーム部をブロックしていると走行されることができない。
【００２１】
車両が静止している時、ライダーは、前記部分が望ましくないように傾斜するのを阻止するために、傾斜部をロックしなければならない。しかし、車両が、走行する時、このロック機構は、安全な乗車を得るために、再び解除されなければならない。前記走行ブロック機構は、ブロックされた傾斜車両が、走行するのを阻止する。ブレーキのような走行ブロック機構をデザインすることは、フレーム部がロックされている時に、ハンドブレーキが自動的に適用されることを意味している。このことは、ライダーが、車両を駐車する時に、ハンドブレーキを掛け忘れないことを確実にしている。
【００２２】
本発明に係わる車両の複数の実施の形態は、すべて、実施例として、添付図面を参照して、より詳細に説明されている。
【発明を実施するための最良の形態】
【００２３】
図は、第１のフレーム部２と第２のフレーム部３とを有した車両１を示している。この第２のフレーム部３は、回転軸５を中心として傾動可能であり、また、運転席６とステアリング７とを有している。液圧シリンダのような傾動部材８が、これら２つのフレーム部２，３を互いに接続している。この傾動部材８は、センサー９によって制御される。このセンサーは、第１のフレーム部２に対する第２のフレーム部３の傾動位置を測定するか、ライダーが、第１のフレーム部２に与える力、即ちモーメントを決定する。このセンサー９の制御下で、傾動部材８は、ライダーによって起こされる傾動を補うか、緩くするか、制限する。前記傾動部材８は、連続的に動作することができるが、しかし、所定の傾動位置、傾動部の所定の力、並びに/若しくは、傾動車両の所定の速度のみで、前記シリンダを駆動することもできる。
【００２４】
走行中に、両足を快適に休ませることができるように、車両１には、２つの足台１２，１３が設けられている。
【００２５】
曲がった道を通り抜ける間に、ライダーは、自身の足を足台１４，１５上に位置させることができる。これら足台には、隆起したエッジ１６，１７が設けられており、これらエッジ上に、ライダーは、自身の足を位置させることができる。また、これらエッジに対して、横方向の力（lateral force）が、傾動の間に与えられることができる。足は、足首の関節がねじれるのを制限するために、傾動の間に、前記エッジ１６，１７に従って横揺れすることができる。図示された実施の形態にかかわる車両１は、３つの車輪１７，１８，１９を有しており、これら車輪のうち前輪は、水平に維持されている。
【００２６】
図１６ないし図２９に係わる実施の形態において、単一の傾動車輪が設けられ、一方、２つの後輪が、水平に維持されている。
【００２７】
前記傾動部材８とセンサー９との液圧システムが、図３０に示されている。この液圧システムは、傾動部と非傾動部との間に装着された二重作動シリンダ１’と、停止もしくは駐車の期間中でのロックのためのロック部２’と、連続的に変化し得る圧力調整弁３’と、タンク１０からオイルを補充する逆止弁４’と、オイルが、ポンプ７’に逆流し得るのを阻止する逆止弁５’と、設定された圧力に達した時に、ポンプ７’を始動させる圧力スイッチ６’と、ポンプ７’とを有している。
【００２８】
オートバイの運転のような、通常の乗車の間に、前記シリンダ１’中のオイルは、前記圧力調整弁３’によって、前後に自由に流れることができ、動力補助（power  assistance）なしに中間位置に維持する。ライダーが、転倒の防止を所望して、摺動可能な調整弁３’に一定の力を与えると、シリンダ１’から流出したオイルは、調整弁３’の流入側部と連通されるであろう。２つの逆止弁４’，５’のために、圧力が、これら弁に発生し、シリンダ１’の動作を阻止するであろう。前記弁３’へのフィードバックによって、発生された圧力は、ライダーによって与えられた力に比例する。
【００２９】
前記発生された圧力が、設定された値を超えた時に、圧力スイッチ６’は、ポンプ７’を始動させるであろう。この結果、車両は、動力補助で、直立するように設定されることができる。
【００３０】
他の実施の形態において、前記ポンプの始動は、（摺動可能な調整弁３’に統合されているであろう）ライダーの力を測定するセンサーによって、又は、ライダーによって別に動作されることのできるスイッチで、調節されることができる。
【００３１】
より簡単な実施の形態が可能であり、この場合、システムは、走行を減速並びに阻止することのみ可能であるが、しかし、車両を動力補助で直立に動作させることはできない。この場合、前記ポンプ７’と、圧力スイッチ６’と、逆止弁５’と、これらに対応する管理部とは省略される。
【００３２】
駐車するために、二方向遮断弁２’が、２つのシリンダライン間に装着されている。この弁は、ライダーによって動作されることができ、傾動位置で、車両がさらに傾動するのを防止する。これによって、平坦面に車両を駐車することが可能である。
【００３３】
また、どの角度でも、車両の傾動を阻止し、この阻止された状態で、例えば、スロットルが動作されている間に、エンジンを再び作動させないように、又は、車両にギアが入れられないようにして、走行が阻止されることを確保している、前記遮断弁２’と共同している動作機構が、車両に装着可能である。
【００３４】
また、傾動をロックし、車両にハンドブレーキをかけている前記遮断弁２’と共同している動作機構が、車両に装着可能であり、そして、この場合、この動作機構から動力補助を外すことによって、ブレーキと傾動との両方が解除される。
【図面の簡単な説明】
【００３５】
【図１】異なる傾動位置に２つの前輪が備えられた、本発明に係わる傾動車両を示している。
【図２】異なる傾動位置に２つの前輪が備えられた、本発明に係わる傾動車両を示している。
【図３】異なる傾動位置に２つの前輪が備えられた、本発明に係わる傾動車両を示している。
【図４】異なる傾動位置に２つの前輪が備えられた、本発明に係わる傾動車両を示している。
【図５】異なる傾動位置に２つの前輪が備えられた、本発明に係わる傾動車両を示している。
【図６】異なる傾動位置に２つの前輪が備えられた、本発明に係わる傾動車両を示している。
【図７】異なる傾動位置に２つの前輪が備えられた、本発明に係わる傾動車両を示している。
【図８】異なる傾動位置に２つの前輪が備えられた、本発明に係わる傾動車両を示している。
【図９】異なる傾動位置に２つの前輪が備えられた、本発明に係わる傾動車両を示している。
【図１０】異なる傾動位置に２つの前輪が備えられた、本発明に係わる傾動車両を示している。
【図１１】異なる傾動位置に２つの前輪が備えられた、本発明に係わる傾動車両を示している。
【図１２】異なる傾動位置に２つの前輪が備えられた、本発明に係わる傾動車両を示している。
【図１３】異なる傾動位置に２つの前輪が備えられた、本発明に係わる傾動車両を示している。
【図１４】異なる傾動位置に２つの前輪が備えられた、本発明に係わる傾動車両を示している。
【図１５】異なる傾動位置に２つの前輪が備えられた、本発明に係わる傾動車両を示している。
【図１６】２つの後輪が備えられた本発明に係わる傾動車両を示している。
【図１７】２つの後輪が備えられた本発明に係わる傾動車両を示している。
【図１８】２つの後輪が備えられた本発明に係わる傾動車両を示している。
【図１９】２つの後輪が備えられた本発明に係わる傾動車両を示している。
【図２０】２つの後輪が備えられた本発明に係わる傾動車両を示している。
【図２１】２つの後輪が備えられた本発明に係わる傾動車両を示している。
【図２２】２つの後輪が備えられた本発明に係わる傾動車両を示している。
【図２３】２つの後輪が備えられた本発明に係わる傾動車両を示している。
【図２４】２つの後輪が備えられた本発明に係わる傾動車両を示している。
【図２５】２つの後輪が備えられた本発明に係わる傾動車両を示している。
【図２６】２つの後輪が備えられた本発明に係わる傾動車両を示している。
【図２７】２つの後輪が備えられた本発明に係わる傾動車両を示している。
【図２８】２つの後輪が備えられた本発明に係わる傾動車両を示している。
【図２９】２つの後輪が備えられた本発明に係わる傾動車両を示している。
【図３０】傾動圧力の計測制限を形成するための圧力調整弁と傾動部材との液圧の図解を示している。
【図１】
2005534553.tif 000003
【図２】
2005534553.tif 000004
【図３】
2005534553.tif 000005
【図４】
2005534553.tif 000006
【図５】
2005534553.tif 000007
【図６】
2005534553.tif 000008
【図７】
2005534553.tif 000009
【図８】
2005534553.tif 000010
【図９】
2005534553.tif 000011
【図１０】
2005534553.tif 000012
【図１１】
2005534553.tif 000013
【図１２】
2005534553.tif 000014
【図１３】
2005534553.tif 000015
【図１４】
2005534553.tif 000016
【図１５】
2005534553.tif 000017
【図１６】
2005534553.tif 000018
【図１７】
2005534553.tif 000019
【図１８】
2005534553.tif 000020
【図１９】
2005534553.tif 000021
【図２０】
2005534553.tif 000022
【図２１】
2005534553.tif 000023
【図２２】
2005534553.tif 000024
【図２３】
2005534553.tif 000025
【図２４】
2005534553.tif 000026
【図２５】
2005534553.tif 000027
【図２６】
2005534553.tif 000028
【図２７】
2005534553.tif 000029
【図２８】
2005534553.tif 000030
【図２９】
2005534553.tif 000031
【図３０】
2005534553.tif 000032
【国際調査報告】
2005534553.tif 000033
2005534553.tif 000034
2005534553.tif 000035